(57)【要約】      （修正有）【課題】タイトフレームに固定して屋根材を連結する折版屋根用吊子において、補強金具を使用せずにタイトフレームに装着する部分の強度を高める。【解決手段】立板上方部１の上辺に屋根材のハゼ形状に対応する屋根材装着部２を設け、立板下方部３に鉛直の立板面と直交する水平の装着面部４１にボルト孔４２を穿設したフレーム装着部４を設けた折版屋根用吊子において、フレーム装着部４の装着面部４１を、立板下方部３の側縁突出部分が二段階の折曲で設けられている装着板４１ａ，４１ｂと、立板下方部３の下縁部分の折曲で設けられている装着板４１ｃとを重ね合わせた積層構造とした。【選択図】図１
0003207697.tif 000002
【実用新案登録請求の範囲】
【請求項１】
立板上方部の上辺に屋根材のハゼ形状に対応する屋根材装着部を設け、立板下方部に鉛直の立板面と直交する水平の装着面部にボルト孔を穿設したフレーム装着部を設けた折版屋根用吊子において、フレーム装着部の装着面部を、立板下方部の側縁突出部分が二段階の折曲で設けられている装着板と、立板下方部の下縁部分の折曲で設けられている装着板とを重ね合わせた積層構造としてなることを特徴とする折版屋根用吊子。
【請求項２】
装着面部が、立板下方部の両側縁部分の折曲で設けた装着板と、立板下方部の下縁部分の折曲で設けた装着板による三重積層構造である請求項１記載の折版屋根用吊子。
【請求項３】
立板下方部の側縁部分の折曲で設けた装着板の立上面板となる箇所の上縁に装着板と平行な翼板を設けてなる請求項１又は２記載の折版屋根用吊子。
【考案の詳細な説明】
【技術分野】
【０００１】
本考案は折版屋根用吊子に関するものである。
【背景技術】
【０００２】
折版屋根用吊子は、周知のとおりタイトフレームに固定して屋根材を連結するもので、Ｌ状に折曲し、底板部にボルト孔を穿設し、立板部の上縁辺に屋根材のハゼ形状に対応する装着部を形成したものである。
【０００３】
屋根が風雪から受ける負荷は、吊子のボルト連結個所に大きく加わるので、従前より底板部に補強金具を使用している。この補強金具はＬ状板や箱型に形成した部材が採用されている（特許文献１，２）。
【先行技術文献】
【特許文献】
【０００４】
【特許文献１】特開２００７−１２０２５０号公報。
【特許文献２】特開２００３−２１３８４８号公報。
【考案の概要】
【考案が解決しようとする課題】
【０００５】
吊子の耐久力を高める手段として別部材（補強金具）を採用する場合には、更に屋根葺き工事に際して取扱い易いように別部材は吊子本体に予め固着しておく必要がある。従って別部材の製造及び別部材の本体への固着工程が必要であり、製造が煩瑣である。
【０００６】
吊子の耐久性を高めるには、補強金具を別製して本体に組み込まなくとも、単に屋根材に加わる風雪による負荷が加わる吊子とタイトフレームとのボルト連結個所を堅牢とすれば良い。
【０００７】
そこで本考案は、補強金具を使用せずに耐久強度を高めた新規な折版屋根用吊子を提案したものである。
【課題を解決するための手段】
【０００８】
本考案（請求項１）に係る折版屋根用吊子は、立板上方部の上辺に屋根材のハゼ形状に対応する屋根材装着部を設け、立板下方部に鉛直の立板面と直交する水平の装着面部にボルト孔を穿設したフレーム装着部を設けた折版屋根用吊子において、フレーム装着部の装着面部を、立板下方部の側縁突出部分が二段階の折曲で設けられている装着板と、立板下方部の下縁部分の折曲で設けられている装着板とを重ね合わせた積層構造としてなることを特徴とするものである。
【０００９】
而して上記の吊子は、プレス加工で立板と繋がり一体となっているフレーム装着部における装着面部が多重積層構造となり、且つ前記の装着面部を構成する装着板が立板下方部と鉛直で直交する側面（立上面板）を介して立板と連続しているので、装着面部と立板との間の曲げ耐性も強化され、タイトフレーム装着時の吊子の耐久性を増加させているものである。
【００１０】
また本考案（請求項２）に係る折版屋根用吊子は、前記の吊子において装着面部が、立板下方部の両側縁部分の折曲で設けた装着板と、立板下方部の下縁部分の折曲で設けた装着板による三重積層構造としたもので、耐久性（タイトフレームとの連結部分の引っ張り強度）は、単に立板下方部分をＬ状に折曲して装着面部とした吊子の約２倍に増加する。
【００１１】
また本考案（請求項３）に係る折版屋根用吊子は、更に立板下方部の側縁部分の折曲で設けた装着板の立上面板となる箇所の上縁に、装着板と平行な翼板を設けてなるもので、前記翼板は、立上面の補強になると共に、折版屋根材の頂面の載置部として機能する。
【考案の効果】
【００１２】
本考案の吊子の構成は上記のとおり立板から折曲形成されたフレーム装着部において、タイトフレームと連結される装着面部を複数の装着板の積層構造とし、且つ前記の装着板が立板下方部の側縁突出部分と下縁突出部分の折曲で形成されたもので、立板との一体化が図られると共に、補強金具を必要とせずにタイトフレームとの連結強度を高めたものである。
【図面の簡単な説明】
【００１３】
【図１】本考案の実施形態の全体斜視図。
【図２】同折曲形成前の展開板。
【図３】同使用状態の説明図。
【考案を実施するための形態】
【００１４】
次に本考案の実施形態について説明する。実施形態に示した折版屋根用吊子は、１枚の金属板Ａを折曲（プレス加工）して形成したもので、その展開図は図２に示したとおりである。
【００１５】
展開板である金属板Ａは、Ｔ字状を構成するＴ字板ａと、Ｔ字板ａの縦長部分の両側に延長した両側延長部ｂと、Ｔ字板ａの縦長部分の下方に延長した下方延長部ｃとを備えたもので、この金属板Ａを所定の折れ線で折曲して吊子の各部を形成するものである。
【００１６】
折れ線は、Ｔ字板ａにおいては、Ｔ字板ａの上辺に添って平行な二つの上辺折れ線ｄ１，ｄ２と、Ｔ字板ａの縦長部分の両側折れ線ｄ３及び下縁折れ線ｄ４であり、前記両側折れ線ｄ３からの延長部分である両側延長部ｂにおいては、下縁折れ線ｄ４の延長線上となる装着板折れ線ｄ５と両側延長部ｂの上辺近くに設けた翼板折れ線ｄ６である。各折れ線の位置は、後述する吊子の各部の構造に合わせて適宜定められる。
【００１７】
更に下縁折れ線ｄ４及び装着板折れ線ｄ５の下方部分は後述する装着面部４１を構成する装着板４１ａ，４１ｂ,４１ｃに該当し、予めボルト孔４２を穿設しておく。
【００１８】
而して上記の展開板（金属板）Ａを折曲加工（プレス加工）して吊子に形成するもので、Ｔ字板ａの上方の長尺板部分を立板上方部１とし、上方折れ線ｄ１，ｄ２で屋根材Ｂのハゼ部Ｃの形状に対応した鉤状に折曲して屋根材装着部２を形成する。尚上方折れ線ｄ１，ｄ２は図示例の屋根材Ｂのハゼ部Ｃに対応させたもので、他のハゼ形状に適用する場合には前記折れ線ｄ１，ｄ２以外の折曲加工となる。
【００１９】
Ｔ字板ａの下方縦長部分は立板下方部３とし、両側延長部ｂ及び下方延長部ｃで立板下方部３の表面側にフレーム装着部４を形成する。
【００２０】
両側延長部ｂは、立板下方部３と折れ線ｄ３を介して隣接する箇所が立上面板４４ａ，４４ｂとなり、装着板折れ線ｄ５の下方部分を表面側に折曲して装着板４１ａ，４１ｂとし、翼板折れ線ｄ６からその上方を背面側に折曲して翼板４３ａ，４３ｂとする。
【００２１】
更に両側折れ線ｄ３と下縁折れ線ｄ４から表面側に折曲して、左右の立上面板４４ａ，４４ｂを形成すると共に、左右の装着板４１ａ，４１ｂが重なり、下方延長部ｃが装着板４１ｃとなり更に重なる。
【００２２】
従って前記の折曲加工によって、立板上方部１の上辺に屋根材装着部２を設け、立板下方部３にフレーム装着部４が設けられる。前記フレーム装着部４は、立板下方部３と正面Ｌ状に直交し、且つボルト孔４２を備えた装着面部４１と、装着面部４１の両側に立ち上がり且つ立板下方部３と平面Ｌ状に直交する立上面板４４ａ，４４ｂと、立上面板４４ａ，４４の上縁の翼板４３ａ，４３ｂを備えることになる。
【００２３】
特に装着面部４１は、立上面板４３と下方部分を折曲して形成した装着板４１ａ，４１ｂと下方延長部ｃの折曲で形成した装着板４１ｃの三重積層構造になる。
【００２４】
前記の吊子は、折版屋根のタイトフレームＢの連結ボルトＣに装着され、装着面部４１から突出した連結ボルトＣにナットＤを螺合緊締して固定し、屋根材装着部２にハゼ部を捲装して屋根葺きを行うものである。
【００２５】
特に連結ボルトＣとナットＤで固定される装着面部４１が三重積層構造となり、特に装着板４１ａ，４１ｂが立板下方部３と鉛直方向で直交する立上面板４４ａ，４４ｂを介して連続して、立板下方部３の側方に箱形状に連結されることになるので、屋根板が連結されている立板上方部１に対して持ち上げ力（屋根板に強風や積雪による負荷が加わる場合に想定される力）が加わっても、立板（上方部１及び下方部３）とボルト装着されている装着面部４１との間の耐久強度が高められて、補強金具を必要としない吊子となったものである。
【符号の説明】
【００２６】
１    立板上方部
２    屋根材装着部
３    立板下方部
４    フレーム装着部
４１    装着面部
４２    ボルト孔
４３ａ，４３ｂ    翼板
４４ａ，４４ｂ    立上面板
Ａ      展開板（金属板）
ａ      Ｔ字板
ｂ    両側延長部
ｃ    下方延長部
ｄ１，ｄ２    上辺折れ線
ｄ３    両側折れ線
ｄ４    下縁折れ線
ｄ５    装着板折れ線
ｄ６    翼板折れ線
【図１】
0003207697.tif 000003
【図２】
0003207697.tif 000004
【図３】
0003207697.tif 000005